(57)【特許請求の範囲】
【請求項１】
リソース制御方法であって、
基地局はリアルタイムに前記基地局を共用する１個或は複数の事業者が占用するＳ１インターフェース伝送帯域幅の統計をとること、及び、
ユーザ設備（ＵＥ）が業務要求を起動する時、前記基地局は前記ＵＥが属する事業者の剰余Ｓ１インターフェース伝送帯域幅に基づき、前記ＵＥアクセス業務を許容するか否かを確定することを含む方法。
【請求項２】
前記基地局がリアルタイムに前記基地局の前の１個或は複数の事業者が占用するＳ１インターフェース伝送帯域幅の統計をとるステップは、前記基地局が該基地局の前の１個或は複数の事業者が行っている業務に基づき、各々事業者が占用するＳ１インターフェース伝送帯域幅の統計をリアルタイムにとることを含む請求項１に記載の方法。
【請求項３】
前記基地局は前記ＵＥが属する事業者の剰余Ｓ１インターフェース伝送帯域幅に基づき、前記ＵＥアクセス業務を許容するか否かを確定するステップは、
基地局が該ＵＥが属する事業者の剰余Ｓ１インターフェース伝送帯域幅を見通したＵＥが要求するアクセス待ち業務に必要であるＳ１インターフェース伝送帯域幅と比較し、該ＵＥが属する事業者剰余のＳ１インターフェース伝送帯域幅が前記アクセス待ち業務を満たすことができれば、前記ＵＥアクセス業務を許容し、該ＵＥが属する事業者剰余のＳ１インターフェース伝送帯域幅が前記アクセス待ち業務を満たすことができなければ、前記ＵＥ業務構築が失敗することを通知することを含む請求項１に記載の方法。
【請求項４】
更に、前記基地局は該ＵＥとコアネットワークの接続が確立する時、コアネットワーク側或は前記ＵＥ側から、該ＵＥが属する事業者を取得することを含む請求項１又は３に記載の方法。
【請求項５】
前記基地局は前記ＵＥとコアネットワークの接続が確立する時、コアネットワーク側或は前記ＵＥ側から、該ＵＥが属する事業者を取得するステップは、前記基地局はコアネットワークが送信する初期化コンテキスト確立要求に載せた、該ＵＥが属する事業者メッセージを表示するセルによって、該ＵＥが属する事業者を知る、或は、前記基地局はＵＥが無線リソース制御ＲＲＣ確立要求メッセージに載せた、該ＵＥが属する事業者メッセージを表示するセルによって、該ＵＥが属する事業者を知ることを含む請求項４に記載の方法。
【請求項６】
更に、前記基地局は、
基地局が周期的に１個又は複数の事業者が契約するＳ１インターフェース伝送帯域幅とリアルタイムに統計をとった該１個又は複数の事業者がすでに占用したＳ１インターフェース伝送帯域幅によって、各々事業者の剰余Ｓ１インターフェース伝送帯域幅を計算し、且つ保存し、ＵＥが業務を起動する時、基地局は検索によって該ＵＥが属する事業者の最新剰余Ｓ１インターフェース伝送帯域幅を取得し、或いは、ＵＥが業務を起動する時、基地局は該ＵＥが属する事業者が契約するＳ１インターフェース伝送帯域幅とリアルタイムに統計をとった該ＵＥが属する事業者がすでに占用したＳ１インターフェース伝送帯域幅によって、リアルタイムに該ＵＥが属する事業者の剰余Ｓ１インターフェース伝送帯域幅の統計をとる方式によって前記ＵＥが属する事業者の剰余Ｓ１インターフェース伝送帯域幅を取得することを含む請求項１又は３に記載の方法。
【請求項７】
リソース制御装置を含む基地局であって、前記リソース制御装置は統計モジュール、計算モジュールと処理モジュールを備え、その中に、
前記統計モジュールはリアルタイムに基地局を共用する１個又は複数の事業者が占用するＳ１インターフェース伝送帯域幅の統計をとるように設置され、
前記計算モジュールは前記１個又は複数の事業者が契約するＳ１インターフェース伝送帯域幅及び前記統計モジュールが統計をとった前記１個又は複数の事業者がすでに占用したＳ１インターフェース伝送帯域幅によって、各事業者の剰余Ｓ１インターフェース伝送帯域幅を計算するように設置され、
前記処理モジュールはユーザ設備（ＵＥ）が業務要求を起動する時、前記ＵＥが属する事業者の剰余Ｓ１インターフェース伝送帯域幅によって、前記ＵＥアクセス業務を許容するか否かを確定するように設置される基地局。
【請求項８】
前記処理モジュールは更にＵＥとコアネットワークの接続が確立する時、コアネットワーク側或いは前記ＵＥ側から、前記ＵＥが属する事業者のメッセージを取得するように設置される請求項７に記載の基地局。
【請求項９】
前記リソース制御装置が更に受入モジュールと断りモジュールを備え、
前記処理モジュールはＵＥが業務要求を起動する時、前記ＵＥが属する事業者の剰余Ｓ１インターフェース伝送帯域幅を見通した該ＵＥが要求するアクセス待ち業務に必要であるＳ１インターフェース伝送帯域幅と比較し、該ＵＥが属する事業者の剰余のＳ１インターフェース伝送帯域幅が前記アクセス待ち業務を満たすことができるか否かを判断し、できれば、前記受入モジュールをトリガーし、できなければ、断りモジュールをトリガーする方式によって、前記ＵＥアクセス業務を許容するか否かを確定するように設置され、
前記受入モジュールは前記ＵＥのアクセス業務を完成するように設置され、
前記断りモジュールは前記ＵＥに業務確立失敗のメッセージを返信するように設置される請求項８に記載の基地局。
【請求項１０】
前記計算モジュールは、
周期的に各々事業者の剰余Ｓ１インターフェース伝送帯域幅を計算し、且つ前記処理モジュールに報告し、或いは前記処理モジュールの要求に基づき、各々事業者の剰余Ｓ１インターフェース伝送帯域幅を計算し、且つ前記処理モジュールに報告する方式によって、各々事業者の剰余Ｓ１インターフェース伝送帯域幅を計算するように設置され、
前記処理モジュールは更に、ＵＥが業務要求を起動する時、前記計算モジュールに前記ＵＥが属する事業者の剰余Ｓ１インターフェース伝送帯域幅を要求するように設置される請求項７に記載の基地局。
【発明の詳細な説明】
【技術分野】
【０００１】
本発明は無線通信システムに関し、特にＬＴＥ（Ｌｏｎｇ  Ｔｅｒｍ  Ｅｖｏｌｕｔｉｏｎ、ロング・ターム・エボリューション）システムにおけるリソース制御方法、装置と基地局に関する。
【背景技術】
【０００２】
ＬＴＥ移動通信システムは主に、コアネットワーク（ＣＮ）、アクセスネットワーク（Ｅ＿ＵＴＲＡＮ）と端末（ＵＥ）を含み、コアネットワークは主に、ＭＭＥ（Ｍｏｂｉｌｉｔｙ  Ｍａｎａｇｅｍｅｎｔ  Ｅｎｔｉｔｙ、移動性管理エンティティ）とＳ−ＧＷ（Ｓｅｒｖｉｎｇ  Ｇａｔｅｗａｙ、サービングゲートウェー）を含み、アクセスネットワークはｅＮＢ（進化ノードＢ、或は基地局と略称し、ロング・ターム・エボリューションシステムのノードである）からなり、コアネットワークとアクセスネットワークとの間はＳ１（コアネットワークとアクセスネットワークとの間のインターフェース）インターフェースによって、連結して通信し、アクセスネットワーク内部の異なるｅＮＢ間はＸ２インターフェースによって、連結して通信し、図１に示す通りである。
【０００３】
Ｓ１伝送帯域幅は伝送媒質等に関係し、総量が有限で、大切なネットワーク伝送リソースであり、事業者が関心を持っている重要なリソースの一つである。現在通信システムにおいて、複数の事業者が同一基地局を共有する現象があり、例えば、地下鉄をカバーする基地局、そのネットワークは地下鉄会社により確立し、各々事業者がネットワークリソースを共有する。一つの事業者が占有するＳ１伝送帯域幅は大きい過ぎると、他の事業者の業務品質を保証できなくなり、業務を受け入れられないことを引き起こす可能性があるので、顧客の満足度を影響してしまう。
【発明の概要】
【発明が解決しようとする課題】
【０００４】
本発明の目的はリソース制御方法および基地局を提供し、一つの事業者が占用するＳ１伝送リソースが多すぎることで、他の事業者下のユーザ業務品質が損なわれることを避けることにある。
【課題を解決するための手段】
【０００５】
上記技術的問題を解決するために、本発明はリソース制御方法を提供し、基地局はリアルタイムにその１個或は複数の事業者が占用するＳ１伝送帯域幅を統計すること、及び、ユーザ設備（ＵＥ）が業務要求を起動する時、前記基地局は前記ＵＥが属する事業者の剰余Ｓ１伝送帯域幅に基づき、前記ＵＥアクセス業務を許容するか否かを確定することを含む。
【０００６】
前記基地局がリアルタイムにその１個或は複数の事業者が占用するＳ１伝送帯域幅を統計するステップは、基地局がその１個或は複数の事業者が行っている業務に基づき、各々事業者が占用するＳ１伝送帯域幅をリアルタイムに統計することは好適である。
【０００７】
前記基地局は前記ＵＥが属する事業者の剰余Ｓ１伝送帯域幅に基づき、前記ＵＥアクセス業務を許容するか否かを確定するステップは、基地局が該ＵＥが属する事業者の剰余Ｓ１伝送帯域幅を見通したＵＥが要求するアクセス待ち業務に必要であるＳ１伝送帯域幅と比較し、該ＵＥが属する事業者剰余のＳ１伝送帯域幅が前記アクセス待ち業務を満たすことができれば、ＵＥが要求する業務をアクセスすることを許容し、該ＵＥが属する事業者剰余のＳ１伝送帯域幅が前記アクセス待ち業務を満たすことができなければ、前記ＵＥ業務構築が失敗することを通知することは好適である。
【０００８】
前記方法は更に、前記基地局は該ＵＥとコアネットワークの接続が確立する時、コアネットワーク側或は前記ＵＥ側から、該ＵＥが属する事業者を取得することを含むことは好適である。
【０００９】
前記基地局はコアネットワークが送信する初期化コンテキスト確立要求に載せた、該ＵＥが属する事業者メッセージを表示するセルによって、該ＵＥが属する事業者を知る、或は、前記基地局はＵＥがＲＲＣ確立要求メッセージに載せた、該ＵＥが属する事業者メッセージを表示するセルによって、該ＵＥが属する事業者を知ることは好適である。
【００１０】
前記方法は更に、前記基地局は、基地局が周期的に該基地局における各々事業者が契約するＳ１伝送帯域幅とリアルタイムに統計した各々事業者がすでに占用したＳ１伝送帯域幅によって、各々事業者の剰余Ｓ１伝送帯域幅を計算し、且つ保存し、ＵＥが業務を起動する時、基地局は検索によって該ＵＥが属する事業者の最新剰余Ｓ１伝送帯域幅を取得し、或いは、ＵＥが業務を起動する時、基地局は該ＵＥが属する事業者が契約するＳ１伝送帯域幅とリアルタイムに統計した該事業者がすでに占用したＳ１伝送帯域幅によって、リアルタイムに該ＵＥが属する事業者の剰余Ｓ１伝送帯域幅を計算する方式によって前記ＵＥが属する事業者の剰余Ｓ１伝送帯域幅を取得する。
【００１１】
上記技術的な問題を解決するために、本発明は更にリソース制御装置を開示し、統計モジュール、計算モジュールと処理モジュールを備え、その中に、前記統計モジュールはリアルタイムに基地局の前の１個又は複数の事業者が占用するＳ１伝送帯域幅を統計するように設置され、前記計算モジュールは前記１個又は複数の事業者が契約するＳ１伝送帯域幅及び前記統計モジュールが統計した前記１個又は複数の事業者がすでに占用したＳ１伝送帯域幅によって、各事業者の剰余Ｓ１伝送帯域幅を計算するように設置され、前記処理モジュールはユーザ設備（ＵＥ）が業務要求を起動する時、前記ＵＥが属する事業者の剰余Ｓ１伝送帯域幅によって、前記ＵＥアクセス業務を許容するか否かを確定するように設置される。
【００１２】
前記処理モジュールは更にＵＥとコアネットワークの接続が確立する時、コアネットワーク側或いは前記ＵＥ側から、前記ＵＥが属する事業者のメッセージを取得するように設置されることは好適である。
【００１３】
前記装置が更に受入モジュールと断りモジュールを備えることは好適であり、前記処理モジュールはＵＥが業務要求を起動する時、前記ＵＥが属する事業者の剰余Ｓ１伝送帯域幅を見通した該ＵＥが要求するアクセス待ち業務に必要であるＳ１伝送帯域幅と比較し、該ＵＥが属する事業者の剰余のＳ１伝送帯域幅が前記アクセス待ち業務を満たすことできるか否かを判断し、できれば、前記受入モジュールをトリガーし、できなければ、断りモジュールをトリガーする方式によって、前記ＵＥアクセス業務を許容するか否かを確定するように設置され、前記受入モジュールは前記ＵＥのアクセス業務を完成するように設置され、前記断りモジュールは前記ＵＥに業務確立失敗のメッセージを返信するように設置される。
【００１４】
前記計算モジュールは周期的に各々事業者の剰余Ｓ１伝送帯域幅を計算し、且つ前記処理モジュールに報告し、或いは前記処理モジュールの要求に基づき、各々事業者の剰余Ｓ１伝送帯域幅を計算し、且つ前記処理モジュールに報告する方式によって、各々事業者の剰余Ｓ１伝送帯域幅を計算するように設置されることは好適であり、前記処理モジュールは更に、ＵＥが業務要求を起動する時、前記計算モジュールに前記ＵＥが属する事業者の剰余Ｓ１伝送帯域幅を要求するように設置される。
【００１５】
上記技術的問題を解決するために、本発明は更に基地局を提供し、それは上記リソース制御装置を備える。
【発明の効果】
【００１６】
本発明の方法と装置を採用し、各々事業者がシステムにおける占めるＳ１インターフェース帯域幅をリアルタイムに統計することで、更にリソース制御を実現し、各々事業者の利益を保証し、ある事業者が占用するＳ１伝送リソースが多すぎることで、他の事業者のユーザ業務品質が損なわれ、或いは受け入れられない状況を避けて、その同時に、顧客のエクスペリエンスを保証し、ユーザの満足度を高める。
【図面の簡単な説明】
【００１７】
【図１】図１は既存ＬＴＥ移動通信システムの構造模式図である。
【図２】図２は本発明装置の構造模式図である。
【図３】図３は本発明の実施例１のシーン模式図である。
【図４】図４は本発明の実施例２のシーン模式図である。
【発明を実施するための形態】
【００１８】
本発明の発明構想は基地局がリアルタイムにその前の１個或は或複数の事業者が占用するＳ１伝送帯域幅を統計し、ユーザ設備（ＵＥ）が業務要求を起動する時、前記基地局は前記ＵＥが属する事業者の剰余Ｓ１伝送帯域幅によって、前記ＵＥアクセス業務を許容するか否かを判断することである。
【００１９】
前記基地局がリアルタイムにその前の１個或は複数の事業者が占用するＳ１伝送帯域幅を統計するステップは、基地局がその前の１個或は複数の事業者が行っている業務に基づき、各々事業者が占用するＳ１伝送帯域幅をリアルタイムに統計することを含む。あるＵＥが新業務にアクセスし、ある業務からログアウトし、或は業務品質が変化するなどはいずれもＵＥが属する事業者が占用するＳ１伝送帯域幅を変化することを引き起こし、ＵＥが属する基地局はリアルタイムに本基地局を経って業務を実現する１個或は複数の事業者が占用するＳ１伝送帯域幅を統計し、且つ更新する。
【００２０】
前記「前記基地局は前記ＵＥが属する事業者の剰余Ｓ１伝送帯域幅によって、前記ＵＥアクセス業務を許容するか否かを確定する」ステップは、基地局は該ＵＥが属する事業者の剰余Ｓ１伝送帯域幅を見通したアクセス待ち業務に必要であるＳ１伝送帯域幅と比較し、該事業者剰余のＳ１伝送帯域幅が前記業務アクセスを満たすことができれば、ＵＥが要求する業務をアクセスすることを許容し、満たすことができなければ、業務構築が失敗することを含む。
【００２１】
該ＵＥが属する事業者は基地局によりＵＥがコアネットワークと接続を確立する時に取得される。基地局はコアネットワーク側或はＵＥ側から、ＵＥが属する事業者メッセージを取得でき、例えば、コアネットワークが送信する初期化コンテキスト確立要求に載せた該ＵＥが属する事業者メッセージを表示するセルによって、該ＵＥが属する事業者を知る、或は、ＵＥが前記基地局と無線リソース制御ＲＲＣ接続を確立する過程に、ＲＲＣ確立要求メッセージに載せた該ＵＥが属する事業者メッセージを表示するセルによって、該ＵＥが属する事業者メッセージを基地局に通知する。
【００２２】
該ＵＥが属する事業者の剰余Ｓ１伝送帯域幅は、基地局は周期的に各々事業者が契約するＳ１伝送帯域幅とリアルタイムに統計した各々事業者がすでに占用したＳ１伝送帯域幅によって、各々事業者の剰余Ｓ１伝送帯域幅を計算し、且つ保存し、ＵＥが業務を起動する時、基地局は検索によって、該ＵＥが属する事業者の最新の剰余Ｓ１伝送帯域幅を取得する方式と、ＵＥが業務を起動する時、基地局は該事業者が契約するＳ１伝送帯域幅とリアルタイムに統計した該事業者がすでに占用するＳ１伝送帯域幅によって、リアルタイムに該事業者の剰余Ｓ１伝送帯域幅を計算する方式と、の何れかによって、取得される。
【００２３】
基地局はＵＥが起動する業務の業務タイプによって、アクセス待ち業務に必要であるＳ１伝送帯域幅を推定でき、或は、ＵＥが起動する業務の業務タイプによって、更にＱｏＳ（サービス品質）を合わせ、アクセス待ち業務に必要であるＳ１伝送帯域幅を推定する。
【００２４】
上記事業者が契約するＳ１伝送帯域幅は、事業者が予め基地局と契約して借用するＳ１伝送帯域幅の大きさを指す。
【００２５】
上記事業者が占用するＳ１伝送帯域幅は、契約した基地局に、事業者下のユーザが業務を利用して占用するＳ１伝送帯域幅の総和を指す。
【００２６】
上記事業者の剰余Ｓ１伝送帯域幅は、事業者が契約するＳ１伝送帯域幅から、該事業者が占用するＳ１伝送帯域幅をマイナスして得た剰余Ｓ１伝送帯域幅を指す。
【００２７】
上記方法を実現するリソース制御装置は、統計モジュール、計算モジュールと処理モジュールを備え、前記統計モジュールはリアルタイムに基地局の前の１個又は複数の事業者が占用するＳ１伝送帯域幅を統計するように設置され、前記計算モジュールは前記１個又は複数の事業者が契約するＳ１伝送帯域幅及び前記統計モジュールが統計した前記１個又は複数の事業者がすでに占用したＳ１伝送帯域幅によって、各事業者の剰余Ｓ１伝送帯域幅を計算するように設置され、前記処理モジュールはＵＥが業務要求を起動する時、前記ＵＥが属する事業者の剰余Ｓ１伝送帯域幅によって、前記ＵＥアクセス業務を許容するか否かを確定するように設置される。
【００２８】
上記装置が基地局に設置されることは好適であるが、独立に設置する可能性を排除できない。装置における各々モジュールは合併設置或は分離設置してもよく、例えば、計算モジュールと処理モジュールを一緒に合併してもよい。
【００２９】
前記処理モジュールは更に、ＵＥがコアネットワークと接続を確立する時、コアネットワーク側或は前記ＵＥ側から、前記ＵＥが属する事業者メッセージを取得することは好適である。
【００３０】
図２に示すように、前記装置は、更に、受入モジュールと断りモジュールを備え、前記処理モジュールはＵＥが業務要求を起動する時、前記ＵＥが属する事業者の剰余Ｓ１伝送帯域幅をアクセス待ち業務に必要であるＳ１伝送帯域幅と比較し、該事業者の剰余のＳ１伝送帯域幅が前記業務アクセスを満たすことできるか否かを判断し、できれば、前記受入モジュールをトリガーし、できなければ、断りモジュールをトリガーする方式によって、ＵＥアクセス業務を許容するか否かを確定するように設置され、前記受入モジュールは前記ＵＥの業務アクセスを完成するように設置され、前記断りモジュールは前記ＵＥに業務確立失敗のメッセージを返信するように設置される。
【００３１】
前記計算モジュールが周期的に各々事業者の剰余Ｓ１伝送帯域幅を計算し、且つ前記処理モジュールに報告することは好適である。
【００３２】
前記処理モジュールは、更にＵＥが業務要求を起動する時、前記計算モジュールに前記ＵＥが属する事業者の剰余Ｓ１伝送帯域幅を要求するように設置され、前記計算モジュールは、前記処理モジュールの要求に基づき、各々事業者の剰余Ｓ１伝送帯域幅を計算し、且つ前記処理モジュールに報告する。
【００３３】
本発明を深く説明するために、以下図面と実施例を参考しながら、詳しく説明する。
【００３４】
（実施例１）
本実施例は、異なる事業者が同一基地局下の異なるセルリソースを占用する時のＳ１インターフェース帯域幅統計と制御を記述する。図３に示すように、事業者Ａと事業者ＢがそれぞれｅＮＢと契約してＳ１伝送帯域幅を借用する。現在システムにおいて、二つのセル（Ｃｅｌｌ）があり、すなわち、Ｃｅｌｌ１とＣｅｌｌ２で、Ｃｅｌｌ１下のユーザが全部事業者Ａに属し、Ｃｅｌｌ２下のユーザが全部事業者Ｂに属する。基地局は契約するＳ１伝送帯域幅が効力を生じた後、伝送帯域幅リアルタイム統計をスタートし、事業者ＡとＢに対して、それぞれＳ１伝送帯域幅の統計を行う。
【００３５】
この時、Ｃｅｌｌ１下に、すでに事業者ＡのユーザＵＥ１があり、Ｃｅｌｌ２下にすでに事業者ＢのユーザＵＥ３がある。
【００３６】
ステップ１：ＵＥ２がコアネットワークと接続を確立し、基地局はＵＥ２が属する事業者が事業者Ａであることを検出し、ステップ２：ＵＥ２が業務を起動し、基地局は事業者Ａのこの時の剰余Ｓ１伝送帯域幅を検索し、本実施例において、基地局は周期的に各々事業者が利用できるＳ１伝送帯域幅を計算し、ユーザ設備が業務を起動する時、検索する。他の実施例において、基地局はリアルタイムに計算してもよい。
【００３７】
ステップ３：基地局は該事業者ＡのＳ１伝送帯域幅の剰余値をＵＥ２が起動するアクセス待ち業務に必要であるＳ１伝送帯域幅と比較し、事業者Ａの剰余のＳ１インターフェース帯域幅が新業務アクセスを満たすことができれば、業務アクセスを許容し、満たすことができなければ、業務確立が失敗する。
【００３８】
地局はリアルタイムに事業者ＡとＢのＳ１伝送帯域幅統計結果を統計し、且つ更新し、例えば、ＵＥ２における該業務が解放される時、基地局側は事業者Ａの剰余のＳ１伝送帯域幅をリアルタイムに更新する。
【００３９】
（実施例２）
本実施は二つの事業者が一つのセルリソースを共有する時のＳ１インターフェース帯域幅統計と制御を記述する。図４に示すように、事業者Ａ、Ｂ、ＣがそれぞれｅＮＢと契約してＳ１伝送帯域幅を借用する。現在基地局に三つのＣｅｌｌ１、Ｃｅｌｌ２とＣｅｌｌ３がある。その中に、Ｃｅｌｌ１は事業者ＡとＢにより共用され、Ｃｅｌｌ２が事業者ＡとＣに共用され、Ｃｅｌｌ３が事業者ＢとＣに共用される。基地局は契約するＳ１伝送帯域幅は効力を生じた後、伝送帯域幅のリアルタイム統計をスタートし、事業者Ａ、ＢとＣにそれぞれＳ１伝送帯域幅の統計を行う。
【００４０】
この時、Ｃｅｌｌ１下にすでにＵＥ１、ＵＥ２という二つのユーザがあり、Ｃｅｌｌ２下にすでにＵＥ３、ＵＥ４という二つのユーザがあり、Ｃｅｌｌ３下にすでにユーザＵＥ５があり、ＵＥ１、ＵＥ４が事業者Ａに属し、ＵＥ２、ＵＥ５が事業者Ｂに属し、ＵＥ３が事業者Ｃに属する。
【００４１】
ステップ１：ＵＥ６がコアネットワークと接続を確立し、基地局はＵＥ６が属する事業者が事業者Ｃであることを検出し、ステップ２：ＵＥ６が業務を起動し、基地局は事業者Ｃのこの時の剰余Ｓ１伝送帯域幅を計算し、本実施例において、基地局は事業者の契約したＳ１伝送帯域幅と占用Ｓ１伝送帯域幅によってリアルタイムに剰余Ｓ１伝送帯域幅を計算する。
【００４２】
ステップ３：基地局は該事業者ＣのＳ１伝送帯域幅剰余値をＵＥ６が起動するアクセス待ち業務に必要であるＳ１伝送帯域幅と比較し、事業者Ｃ剰余のＳ１インターフェース帯域幅が新業務アクセスを満たすことができれば、業務がアクセスすることを許容し、満たすことができなければ、業務確立が失敗する。
【００４３】
基地局はリアルタイムに事業者Ａ、ＢとＣのＳ１インターフェース伝送帯域幅統計結果を統計し、且つ更新し、例えば、ＵＥ６における該業務が解放されると、基地局側は事業者Ｃ剰余のＳ１インターフェース伝送帯域幅をリアルタイムに更新する。
【００４４】
当業者は上記方法中の全部或は部分的なステップがプログラムにより関連ハードウェアを命令することによって、完成でき、前記プログラムが例えば読み出し専用メモリ、磁気ディスク或は光ディスク等のコンピューターの可読記憶媒体に記憶可能であるように理解できる。上記実施例の全部或は部分的なステップが１つ或は複数の集積回路で実現可能であることも選択できる。それに応じ、上記実施例における各モジュールはハードウェアの形式で実現してもよく、ソフトウェアー機能モジュールの形式で実現してもよい。本発明は如何なる特定の形式のハードウェアとソフトウェアーの組み合わせに限らないものである。
【００４５】
当然ながら、本発明は更に他の多種な実施例を有してもよく、本発明の精神及びその実質を乖離しない下で、本分野に熟知する当業者は本発明に基づき、各種の相応な変更と変形をすることができるが、これらの変更と変形はすべて本発明に添付した請求項の保護範囲に含まれるものとする。
【産業上の利用可能性】
【００４６】
従来の技術に比べ、本発明は各々事業者がシステムにおける占めるＳ１インターフェース帯域幅をリアルタイムに統計することで、更にリソース制御を実現し、各々事業者の利益を保証し、ある事業者が占用するＳ１伝送リソースが多すぎることで、他の事業者のユーザ業務品質が損なわれ、或いは受け入れられない状況を避けて、その同時に、顧客のエクスペリエンスを保証し、ユーザの満足度を高める。
【図１】
0005451943.tif 000002
【図２】
0005451943.tif 000003
【図３】
0005451943.tif 000004
【図４】
0005451943.tif 000005